(57)【特許請求の範囲】
【請求項１】
光が入射される光学素子と、
前記光学素子の表面に沿って冷却空気を送風する冷却装置と、を備え、
前記光学素子は、互いに対向する第１端縁部及び第２端縁部を有し、
前記冷却装置は、前記第１端縁部側から前記第２端縁部側に向い、かつ、互いに４５度より小さい角度で交差する第１送風方向及び第２送風方向に沿ってそれぞれ冷却空気を送風し、前記第１送風方向に沿った冷却空気と前記第２送風方向に沿った冷却空気とを衝突させ、
前記第１送風方向及び前記第２送風方向に沿ってそれぞれ送風された冷却空気の交差位置は、前記光学素子の光入射側から見た場合に、前記光学素子の表面内に位置する
ことを特徴とするプロジェクター。
【請求項２】
請求項１に記載のプロジェクターにおいて、
前記第１送風方向及び前記第２送風方向は、前記第１端縁部及び前記第２端縁部の各中心位置を結ぶ中心線に対して対称となるように設定されている
ことを特徴とするプロジェクター。
【請求項３】
請求項１又は請求項２に記載のプロジェクターにおいて、
前記交差位置は、前記光学素子の表面の中心位置に対して冷却空気の上流側に位置するように設定されている
ことを特徴とするプロジェクター。
【請求項４】
請求項１から請求項３のいずれか一項に記載のプロジェクターにおいて、
前記冷却装置は、前記第１送風方向及び前記第２送風方向に沿う冷却空気を前記光学素子の前記第１端縁部に向けて送風する
ことを特徴とするプロジェクター。
【請求項５】
請求項１から請求項４のいずれか一項に記載のプロジェクターにおいて、
前記冷却装置は、前記第１送風方向及び前記第２送風方向に沿う冷却空気を前記光学素子の光入射側に送風する
ことを特徴とするプロジェクター。
【請求項６】
請求項５に記載のプロジェクターにおいて、
前記冷却装置は、前記第１端縁部側から前記第２端縁部側に向う第３送風方向に沿って前記光学素子の光出射側に冷却空気を送風する
ことを特徴とするプロジェクター。
【請求項７】
請求項１から請求項６のいずれか一項に記載のプロジェクターにおいて、
前記冷却装置は、一端側から導入した冷却空気を前記光学素子に導く第１ダクト及び第２ダクトを備え、
前記第１ダクト及び前記第２ダクトは、他端側において連通するとともに、前記第１送風方向及び前記第２送風方向に沿ってそれぞれ冷却空気を流出させる第１流出口及び第２流出口を有する
ことを特徴とするプロジェクター。
【発明の詳細な説明】
【技術分野】
【０００１】
本発明は、プロジェクターに関する。
【背景技術】
【０００２】
従来、外部から冷却空気を吸入して吐出する冷却ファンと、当該冷却ファンに接続されて液晶パネル等の光学素子に冷却空気を流出するダクトとを備えるプロジェクターが知られている（例えば、特許文献１参照）。
【０００３】
特許文献１に記載されたプロジェクターでは、ダクトの一端側が冷却ファンに接続され、他端側が液晶パネルの配設位置近傍まで延出し、冷却ファンから吐出された冷却空気が液晶パネルまで導かれるようになっている。そして、冷却空気は、ダクトの他端側に形成された流出口から液晶パネルに対して、下方から上方に向けて流出し、液晶パネルが冷却される。具体的には、冷却ファンから吐出された冷却空気は、ダクト内において、液晶パネルへの入射光束の光軸と直交する方向に流れた後、ダクトの他端の壁面に衝突して、この壁面により流路方向が変えられ、流出口から流出する。
【先行技術文献】
【特許文献】
【０００４】
【特許文献１】特開２００５−３３８２３６号公報
【発明の概要】
【発明が解決しようとする課題】
【０００５】
しかしながら、近年では、高輝度化に伴い、液晶パネル等の光学素子の温度が上昇し易いものとなっている。このため、特許文献１に記載された冷却構造では、液晶パネル等の光学素子を効果的に冷却することが難しい、という問題がある。
【０００６】
本発明の目的は、光学素子を効果的に冷却できるプロジェクターを提供することにある。
【課題を解決するための手段】
【０００７】
本発明のプロジェクターは、光が入射される光学素子と、前記光学素子の表面に沿って冷却空気を送風する冷却装置と、を備え、前記光学素子は、互いに対向する第１端縁部及び第２端縁部を有し、前記冷却装置は、前記第１端縁部側から前記第２端縁部側に向い、かつ、互いに４５度より小さい角度で交差する第１送風方向及び第２送風方向に沿ってそれぞれ冷却空気を送風し、前記第１送風方向に沿った冷却空気と前記第２送風方向に沿った冷却空気とを衝突させ、前記第１送風方向及び前記第２送風方向に沿ってそれぞれ送風された冷却空気の交差位置は、前記光学素子の光入射側から見た場合に、前記光学素子の表面内に位置することを特徴とする。
前記冷却装置は、前記第１端縁部側から前記第２端縁部側に向う第３送風方向に沿って前記光学素子の光出射側に冷却空気を送風する
ことを特徴とするプロジェクター。
【０００８】
本発明では、冷却装置は、光学素子の表面に沿って冷却空気を送風する際、互いに交差する第１送風方向及び第２送風方向に沿ってそれぞれ冷却空気を送風する。
このことにより、各送風方向に沿ってそれぞれ送風された冷却空気は、衝突することとなり、当該衝突により乱流が生じる。このため、光学素子の表面と冷却空気との熱交換効率を増加させることができ、光学素子を効果的に冷却できる。
【０００９】
ところで、冷却装置から光学素子への冷却空気の送風方向（２つの送風方向）としては、例えば、以下の送風方向が考えられる。
すなわち、光学素子の一の端縁部から冷却空気を送風するとともに、前記一の端縁部に交差する他の端縁部から冷却空気を送風する。
ここで、２つの送風方向が交差する角度（衝突角度）が大きい場合、送風された冷却空気は、光学素子を冷却した後、大きく広がって流通することとなる。このため、光学素子を冷却した後の温度の高い冷却空気が他の光学素子に回り込み、他の光学素子の温度上昇を引き起こす恐れがある。よって、２つの送風方向が交差する角度（衝突角度）を小さくすることが必要であるが、２つの送風方向を上記のように設定して衝突角度を小さくすると衝突後の流速の速い冷却空気が流れる領域が、発熱量の高い光学素子の中心から外れてしまい冷却効率が下がってしまう。
【００１０】
本発明では、第１送風方向及び第２送風方向は、光学素子における互いに対向する第１端縁部及び第２端縁部のうち第１端縁部側から第２端縁部側に向うように設定されている。
このことにより、第１送風方向及び第２送風方向が交差する角度（衝突角度）を小さくしても衝突後の流速の速い冷却空気が流れる領域を、発熱量の高い光学素子の中心の周囲とすることが容易になり冷却効率が向上する。また、光学素子を冷却した後の冷却空気も狭い所定の範囲内に向けて流通させることができる。このため、光学素子を冷却した後の温度の高い冷却空気が他の光学素子に回り込むことを防止でき、他の光学素子の温度上昇を引き起こす恐れもない。
【００１１】
本発明のプロジェクターでは、前記第１送風方向及び前記第２送風方向は、前記第１端縁部及び前記第２端縁部の各中心位置を結ぶ中心線に対して対称となるように設定されていることが好ましい。
本発明によれば、第１送風方向及び第２送風方向が上述したように設定されているので、光学素子の表面全体に沿って冷却空気を送風でき、光学素子全体をバランスよく冷却できる。
【００１２】
本発明のプロジェクターでは、前記交差位置は、前記光学素子の表面の中心位置に対して冷却空気の上流側に位置するように設定されていることが好ましい。
本発明では、第１送風方向及び第２送風方向に沿ってそれぞれ送風された冷却空気の交差位置が上述した位置に設定されているので、光学素子の表面の中心位置よりも上流側の位置（送風される冷却空気の上流側の位置）で冷却空気が衝突することとなる。このため、発熱量の高い光学素子の表面の中心を衝突後の流速の速い冷却空気によって冷却でき、光学素子をさらに効果的に冷却できる。
【００１３】
本発明のプロジェクターでは、前記冷却装置は、前記第１送風方向及び前記第２送風方向に沿う冷却空気を前記光学素子の前記第１端縁部に向けて送風することが好ましい。
本発明のプロジェクターでは、前記冷却装置は、前記第１送風方向及び前記第２送風方向に沿う冷却空気を前記光学素子の光入射側に送風することが好ましい。
本発明のプロジェクターでは、前記冷却装置は、前記第１端縁部側から前記第２端縁部側に向う第３送風方向に沿って前記光学素子の光出射側に冷却空気を送風することが好ましい。
【００１４】
本発明のプロジェクターでは、前記冷却装置は、一端側から導入した冷却空気を前記光学素子に導く第１ダクト及び第２ダクトを備え、前記第１ダクト及び前記第２ダクトは、他端側において連通するとともに、前記第１送風方向及び前記第２送風方向に沿ってそれぞれ冷却空気を流出させる第１流出口及び第２流出口を有することが好ましい。
ところで、特許文献１に記載されたダクトを採用した場合には、冷却空気は、ダクトの他端の壁面に衝突することで、壁面で摩擦が発生するため、圧力損失により冷却空気の流速が低下する。そして、冷却空気の流速が低下することに伴って、流出口から流出する冷却空気の流量も減少し、光学素子に対して十分な流量の冷却空気を流出できず、光学素子を良好に冷却することが難しい。
本発明では、冷却装置は、他端側において連通する第１ダクト及び第２ダクトを備える。
このことにより、第１ダクト及び第２ダクトにおいて、各一端側から導入された冷却空気は、他端側において互いに衝突することで、流路方向を変更し、第１流出口及び第２流出口を介して第１送風方向及び第２送風方向に沿ってそれぞれ流出することとなる。
すなわち、各ダクト内部において各冷却空気を衝突させることで流路方向を変えているので、特許文献１に記載の壁面等に衝突させて流路方向を変えるダクトを採用した場合と比較して、冷却空気の圧力損失を抑制でき、流速の低下を抑制できる。このため、各冷却空気の衝突後も流速を維持した状態で、冷却空気が各流出口から光学素子へ導かれる。
したがって、光学素子に導かれる冷却空気の流量が減少することがないので、光学素子に十分な流量の冷却空気を導くことができ、光学素子をさらに効果的に冷却できる。
【００１５】
なお、前記第１ダクト及び前記第２ダクトは、直線状に連通するように形成されていてもよい。
例えば、第１ダクト及び第２ダクトの一端側から導入された各冷却空気が斜め方向等から互いに衝突する場合、冷却空気の一部がダクトの壁面まで流れて壁面で流路方向を変えて、各流出口から光学素子に向けて流出する。このため、壁面で摩擦が発生し、圧力損失により冷却空気の流速が低下するおそれがある。
これに対し、第１ダクト及び第２ダクトが、直線状に連通するように形成されていれば、各ダクトの一端側から導入された各冷却空気は、互いに対向する向きで衝突するので、衝突時に冷却空気の大部分を各ダクトの壁面に触れさせずに流すことができる。従って、衝突後の冷却空気が流速を低下させることなく、各流出口から光学素子に向けて流出するので、光学素子をさらに一層効果的に冷却できる。
【図面の簡単な説明】
【００１６】
【図１】本発明の本実施形態に係るプロジェクターの概略構成を示す図。
【図２】前記実施形態の冷却装置を模式的に示す斜視図。
【図３】前記実施形態の冷却装置を模式的に示す平面図。
【図４】前記実施形態の冷却装置を模式的に示す断面図。
【発明を実施するための形態】
【００１７】
以下、本発明の一実施形態を図面に基づいて説明する。
［プロジェクターの構成］
図１は、本実施形態におけるプロジェクター１の概略構成を示す図である。具体的に、図１は、プロジェクター１の概略構成を模式的に示す図である。
なお、以下では、プロジェクター１において投射側（投射レンズ３が配置された側）を「前面」とし、その反対側を「背面」とする。また、プロジェクター１の天面側（図１における図面視手前）を「上側」とし、底面側を「下側」とする。さらに、以下で記載する「左」、「右」は、プロジェクター１を前面から見た時の左右に相当するものである。
プロジェクター１は、外部機器等から入力される画像情報に応じて光を変調してスクリーン（図示略）上に投射し、投影画像を表示する。このプロジェクター１は、図１に示すように、略直方体状の外装筐体２と、投射レンズ３と、光学ユニット４と、プロジェクター１内部の各構成部材を冷却する冷却装置５と、具体的な図示を省略したが、プロジェクター１内部の各構成部材に電力を供給する電源ユニット、及びプロジェクター１内部の各構成部材を制御する制御装置等とを備える。
【００１８】
［光学ユニットの構成］
光学ユニット４は、外装筐体２の背面に沿って左側から右側に延出し、延出方向先端部分が前面側に屈曲して延出する平面視略Ｌ字形状を有している。
この光学ユニット４は、図１に示すように、光源ランプ４１１およびリフレクター４１２を有する光源装置４１と、レンズアレイ４２１，４２２、偏光変換素子４２３、および重畳レンズ４２４を有する照明光学装置４２と、ダイクロイックミラー４３１，４３２、および反射ミラー４３３を有する色分離光学装置４３と、入射側レンズ４４１、リレーレンズ４４３、および反射ミラー４４２，４４４を有するリレー光学装置４４と、光変調装置（光学素子）としての３つの液晶パネル４５１（赤色光側の液晶パネルを赤側パネル４５１Ｒ、緑色光側の液晶パネルを緑側パネル４５１Ｇ、青色光側の液晶パネルを青側パネル４５１Ｂとする）、３つの入射側偏光板４５２、３つの出射側偏光板４５３、およびクロスダイクロイックプリズム４５４を有する光学装置４５と、光学部品用筐体４６とを備える。
【００１９】
そして、光学ユニット４では、上述した構成により、光源装置４１から出射され照明光学装置４２を介した光束は、色分離光学装置４３にてＲ，Ｇ，Ｂの３つの色光に分離される。また、分離された各色光は、各液晶パネル４５１にて画像情報に応じてそれぞれ変調され、クロスダイクロイックプリズム４５４にて合成され、投射レンズ３にてスクリーン（図示略）に拡大投射される。
なお、上述した各光学部品４１〜４６については、種々の一般的なプロジェクターの光学系として利用されているため、具体的な説明を省略する。
【００２０】
［冷却装置の構成］
図２は、本実施形態の要部を示す斜視図であり、具体的には、冷却装置５に光学装置４５が配置された状態を背面側から見た斜視図である。なお、図示の都合上、入射側偏光板４５２及び出射側偏光板４５３の図示を省略する。これは、以下の図でも同様である。
冷却装置５は、液晶パネル４５１、入射側偏光板４５２（図１参照）、及び出射側偏光板４５３（図１参照）等に対して冷却空気を送風するものであり、図２に示すように、ダクト６と、第１冷却ファン７と、第２冷却ファン８とを備えている。
【００２１】
[冷却ファンの構成]
各冷却ファン７，８は、シロッコファンで構成されている。
そして、第１冷却ファン７は、図１または図２に示すように、空気を吐出する吐出口７１が背面側に向くように、投射レンズ３の右側に配設されている。
また、第２冷却ファン８は、図１または図２に示すように、空気を吐出する吐出口８１が背面側に向くように、投射レンズ３の左側に配設されている。
なお、具体的な図示は省略したが、各冷却ファン７，８は、空気を吸入する吸入口が外装筐体２に形成された吸気口に連結されている。すなわち、各冷却ファン７，８の駆動により、プロジェクター１の外部の空気は、吸気口を介して各冷却ファン７，８の吸入口に吸入される。
【００２２】
［ダクトの構成］
ダクト６は、図２に示すように、第１ダクト部６１と、第２ダクト部６２と、第３ダクト部６３とを備え、これら各ダクト部６１〜６３が一体形成されたものである。
【００２３】
[第１ダクト部の構成]
第１ダクト部６１は、図２に示すように、一端６１Ａが第１冷却ファン７の吐出口７１に接続し、一端６１Ａから背面側に延出した後、左側に屈曲し、他端６１Ｂが光学装置４５の下側に位置付けられる平面視Ｌ字状に形成されている。
この第１ダクト部６１において、他端６１Ｂ側には、図２に示すように、赤側流出口６０Ｒ及び緑側流出口６０Ｇが形成されている。
赤側流出口６０Ｒは、赤側パネル４５１Ｒの配設位置に対向する位置に形成され、平面視で赤側パネル４５１Ｒを跨いで左右方向に延びる矩形形状を有する。
また、赤側流出口６０Ｒの周縁部分には、図２に示すように、上側に向けて突出した矩形枠状の整流リブ６１０が形成されている。
なお、緑側流出口６０Ｇの構造については、後述する。
【００２４】
[第２ダクト部の構成]
第２ダクト部６２は、図２に示すように、一端６２Ａが第２冷却ファン８の吐出口８１に接続し、一端６２Ａから背面側に延出した後、右側に屈曲し、他端６２Ｂが光学装置４５の下側に位置付けられる平面視Ｌ字状に形成されている。
また、ダクト部６１，６２は、他端６１Ｂ，６２Ｂ同士が互いに直線状に連通するように接続されている。
なお、図２では、説明の便宜上、他端６１Ｂ，６２Ｂ同士の接続位置６Ｃを二点鎖線で図示している。以降の図についても同様である。
この第２ダクト部６２において、他端６２Ｂ側には、図２に示すように、青側流出口６０Ｂ及び緑側流出口６０Ｇが形成されている。
青側流出口６０Ｂは、青側パネル４５１Ｂの配設位置に対向する位置に形成され、赤側流出口６０Ｒと同様の形状を有する。
また、青側流出口６０Ｂの周縁部分には、赤側流出口６０Ｒと同様の整流リブ６２０が形成されている。
なお、緑側流出口６０Ｇの構造については、後述する。
【００２５】
[第３ダクト部の構成]
第３ダクト部６３は、図２に示すように、第１ダクト部６１内部に連通するように一端６３Ａが第１ダクト部６１の背面側に接続し、一端６３Ａから左側に延出し、他端６３Ｂが偏光変換素子４２３の下側に位置付けられるように形成されている。
この第３ダクト部６３において、他端６３Ｂ側には、図２に示すように、偏光変換素子４２３の配設位置に対向する位置に、平面視で前面側から背面側への方向に延びる矩形状のＰＢＳ流出口６３１が形成されている。
【００２６】
[緑側流出口の構造]
緑側流出口６０Ｇは、図２に示すように、ダクト部６１，６２の接続位置６Ｃ近傍に形成されている。
この緑側流出口６０Ｇは、図２に示すように、第１流出口６０１Ｇと、第２流出口６０２Ｇと、出射側流出口６０３Ｇとで構成されている。
第１流出口６０１Ｇは、図２に示すように、第１ダクト部６１の他端６１Ｂ側において、平面視で緑側パネル４５１Ｇの光入射側に位置する。
また、第１流出口６０１Ｇの周縁部分には、図２に示すように、左斜め上側に向けて突出する矩形枠状の整流リブ６０１が形成されている。
【００２７】
第２流出口６０２Ｇは、図２に示すように、第２ダクト部６２の他端６２Ｂ側において、平面視で緑側パネル４５１Ｇの光入射側に位置する。
また、第２流出口６０２Ｇの周縁部分には、図２に示すように、右斜め上側に向けて突出する矩形枠状の整流リブ６０２が形成されている。
【００２８】
出射側流出口６０３Ｇは、図２に示すように、平面視で緑側パネル４５１Ｇの光出射側に位置し、ダクト部６１，６２の接続位置６Ｃを跨いで左右方向に延びる矩形状に形成されている。
また、出射側流出口６０３Ｇの周縁部分には、図２に示すように、上側に向けて突出した矩形枠状の整流リブ６０３が形成されている。
【００２９】
[冷却空気の流路]
図３及び図４は、ダクト６内部を流通する冷却空気の流路を説明するための図である。具体的に、図３は、冷却装置５に光学装置４５が配置された状態を上側から見た平面図である。図３中の破線矢印は、冷却空気の流れ方向を示している。また、図４は、図３におけるIV-IV線で切断したダクト６の断面図である。図４中の実線矢印は、冷却空気の流路方向を示している。
各冷却ファン７，８から吐出された冷却空気は、図３に示すように、ダクト６に導入される（冷却空気Ａ１，Ｂ１）。
そして、冷却空気Ａ１，Ｂ１は、図３に示すように、各ダクト部６１，６２内部において、左右方向に延び赤側流出口６０Ｒ及び青側流出口６０Ｂと緑側流出口６０Ｇとを区画する第１整流板６４により冷却空気Ａ２，Ｂ２と冷却空気Ａ３，Ｂ３とに分流される。
【００３０】
冷却空気Ａ２，Ｂ２は、図３に示すように、他端６１Ｂ，６２Ｂ側にそれぞれ向い、各流出口６０Ｒ，６０Ｂを介して外部にそれぞれ流出する。
そして、各流出口６０Ｒ，６０Ｂから流出した冷却空気は、整流リブ６１０，６２０にて下側から上側に向けて整流され、赤色光側及び青色光側の各部材４５１〜４５３に送風される。
【００３１】
冷却空気Ａ３，Ｂ３は、図３に示すように、各ダクト部６１，６２内部において、左右方向に延び平面視で緑側パネル４５１Ｇの光入射側と光出射側とを区画する第２整流板６５により冷却空気Ａ３１，Ｂ３１と冷却空気Ａ３２，Ｂ３２とに分流される。
また、冷却空気Ａ３の一部は、図３に示すように、第３ダクト部６３に導入される（冷却空気Ａ４）。冷却空気Ａ４は、他端６３Ｂ側に向い、ＰＢＳ流出口６３１を介して外部に流出する。そして、ＰＢＳ流出口６３１から流出した冷却空気は、各流出口６０Ｒ，６０Ｂから流出した冷却空気と同様に整流され、偏光変換素子４２３に送風される。
【００３２】
冷却空気Ａ３１，Ｂ３１は、図３に示すように、他端６１Ｂ及び他端６２Ｂにそれぞれ向い、接続位置６Ｃにて互いに対向する向きで衝突し、流路方向を上側に変更し、出射側流出口６０３Ｇを介して外部に流出する。
そして、出射側流出口６０３Ｇから流出した冷却空気は、各流出口６０Ｒ，６０Ｂから流出した冷却空気と同様に整流され、緑側パネル４５１Ｇ，緑色光側の出射側偏光板４５３間に送風される。
【００３３】
冷却空気Ａ３２，Ｂ３２も、接続位置６Ｃにて互いに対向する向きで衝突し、流路方向を上側に変更し、各流出口６０１Ｇ，６０２Ｇを介して外部に流出する。
そして、各流出口６０１Ｇ，６０２Ｇから流出した各冷却空気Ａ３２，Ｂ３２は、図４に示すように、緑側パネル４５１Ｇの光入射面に沿って送風される。
より具体的に、各冷却空気Ａ３２，Ｂ３２は、整流リブ６０１，６０２にて整流されることで、第１の送風方向Ｄ１及び第２の送風方向Ｄ２に沿ってそれぞれ送風される。
【００３４】
各送風方向Ｄ１，Ｄ２は、図４に示すように、緑側パネル４５１Ｇの光入射側から見た場合に、緑側パネル４５１Ｇにおける４つの端縁部のうち、互いに対向する下側の端縁部４５１Ｄ側から上側の端縁部４５１Ｕ側に向うように設定されている。
言い換えれば、第１の送風方向Ｄ１は、２つの端縁部４５１Ｄ，４５１Ｕの双方に交差するように設定されている。第２の送風方向Ｄ２も同様である。
また、各送風方向Ｄ１，Ｄ２は、図４に示すように、緑側パネル４５１Ｇにおける矩形状の光入射面の中心位置Ｐを通る中心線Ａｘ（各端縁部４５１Ｄ，４５１Ｕの中心位置をそれぞれ結ぶ線）に対して対称となるように設定されている。
【００３５】
さらに、各送風方向Ｄ１，Ｄ２は、図４に示すように、互いに交差するように設定されている。
ここで、各送風方向Ｄ１，Ｄ２が交差する角度αは、４５度より小さい角度であることが好ましく、本実施形態では、４０度に設定されている。
また、各送風方向Ｄ１，Ｄ２の交差位置Ｃは、中心位置Ｐよりも下側（送風される冷却空気の上流側）に位置するように設定されている。
そして、各送風方向Ｄ１，Ｄ２に沿ってそれぞれ送風される冷却空気Ａ３２，Ｂ３２は、交差位置Ｃにて互いに衝突した後、上側に向って流れることとなる。
【００３６】
なお、各冷却ファン７，８の吐出量は、各冷却空気Ａ３，Ｂ３が各ダクト部６１，６２の接続位置６Ｃにて衝突するように設定され、具体的には、緑側流出口６０Ｇに導かれる各冷却空気Ａ３，Ｂ３の流量がほぼ等しくなるように設定されている。
本実施形態では、第１冷却ファン７の冷却空気Ａ１の吐出量が、第２冷却ファン８の冷却空気Ｂ１の吐出量よりも多くなるように設定されている。これは、第１冷却ファン７から吐出される冷却空気Ａ１の一部が第３ダクト部６３にも導かれるためである。
【００３７】
上述した本実施形態によれば、以下の効果を奏する。
本実施形態では、プロジェクター１は、互いに交差する各送風方向Ｄ１，Ｄ２に沿ってそれぞれ冷却空気Ａ３２，Ｂ３２を送風する冷却装置５を備える。
このことにより、送風方向Ｄ１，Ｄ２に沿ってそれぞれ送風された冷却空気Ａ３２，Ｂ３２は、衝突することで乱流を生じることとなる。このため、緑側パネル４５１Ｇと冷却空気Ａ３２，Ｂ３２との熱交換効率を増加させることができ、緑側パネル４５１Ｇを効果的に冷却できる。
【００３８】
また、各送風方向Ｄ１，Ｄ２は、緑側パネル４５１Ｇにおける端縁部４５１Ｄ側から端縁部４５１Ｕ側に向うように設定されている。このことにより、送風方向Ｄ１，Ｄ２のなす角度（衝突角度）αを小さくして、緑側パネル４５１Ｇを冷却した後の冷却空気Ａ３２，Ｂ３２を狭い所定の範囲内に向けて流通させ、緑側パネル４５１Ｇを冷却した後の温度の高い冷却空気Ａ３２，Ｂ３２が他の光学素子に回り込むことを防止させた場合でも、衝突後の流速の速い冷却空気Ａ３２，Ｂ３２が流れる領域を、発熱量の高い緑側パネル４５１Ｇの中心の周囲とすることが容易になり冷却効率が向上させることができる。
【００３９】
なお、本実施形態では、角度αを４０度に設定している。冷却空気Ａ３２，Ｂ３２の衝突で発生した乱流によって冷却空気Ａ３２，Ｂ３２は流速が速くなる。角度αを４５度以下等に小さく設定することで、衝突後の流速の速い冷却空気Ａ３２，Ｂ３２が発生している領域を冷却空気のより下流側に広げることが出来る。これによれば、緑側パネル４５１Ｇの光入射面と冷却空気Ａ３２，Ｂ３２との熱交換効率をさらに増加させることができ、緑側パネル４５１Ｇをより効果的に冷却できる。
【００４０】
さらに、送風方向Ｄ１，Ｄ２が中心線Ａｘに対して対称となるように設定されているので、緑側パネル４５１Ｇの光入射面全体に沿って冷却空気Ａ３２，Ｂ３２を送風でき、緑側パネル４５１Ｇの光入射面をバランスよく冷却できる。
また、交差位置Ｃが中心位置Ｐに対して冷却空気Ａ３２，Ｂ３２の上流側の位置に設定されている。これにより、発熱量の高い位置である緑側パネル４５１Ｇの光入射面の中心位置Ｐよりも送風される冷却空気の上流側で冷却空気Ａ３２，Ｂ３２が衝突することとなる。このため、緑側パネル４５１Ｇの光入射面の中心位置Ｐを衝突後の流速の速い冷却空気Ａ３２，Ｂ３２によって冷却できるとともに、緑側パネル４５１Ｇの光入射面の広い範囲を衝突後の流速の速い冷却空気Ａ３２，Ｂ３２によって冷却でき、緑側パネル４５１Ｇをさらに効果的に冷却できる。
【００４１】
さらに、冷却装置５は、他端６１Ｂ，６２Ｂ側が連通するダクト部６１，６２を備える。
このことにより、ダクト部６１，６２において、各一端６１Ａ，６２Ａ側から導入された冷却空気Ａ３２，Ｂ３２は、他端６１Ｂ，６２Ｂ側において互いに衝突することで、流路方向を変更し、各流出口６０１Ｇ，６０２Ｇを介して第２の送風方向に沿ってそれぞれ流出することとなる。
すなわち、各ダクト部６１，６２内部において各冷却空気Ａ３２，Ｂ３２を衝突させることで流路方向を変えているので、壁面等に衝突させて流路方向を変えるダクトを採用した場合と比較して、冷却空気の圧力損失を抑制でき、流速の低下を抑制できる。このため、各冷却空気Ａ３２，Ｂ３２の衝突後も流速を維持した状態で、冷却空気Ａ３２，Ｂ３２が各流出口６０１Ｇ，６０２Ｇから緑側パネル４５１Ｇへ導かれる。
したがって、緑側パネル４５１Ｇに導かれる冷却空気Ａ３２，Ｂ３２の流量が減少することがないので、緑側パネル４５１Ｇに十分な流量の冷却空気を導くことができ、緑側パネル４５１Ｇをさらに効果的に冷却できる。
【００４２】
また、ダクト部６１，６２は、直線状に連通するように形成されている。
このことにより、各ダクト部６１，６２の一端６１Ａ，６２Ａ側から導入された各冷却空気Ａ３２，Ｂ３２は、互いに対向する向きで衝突するので、衝突時に冷却空気Ａ３２，Ｂ３２の大部分を各ダクト部６１，６２の壁面に触れさせずに流すことができる。従って、衝突後の冷却空気が流速を低下させることなく、各流出口６０１Ｇ，６０２Ｇから緑側パネル４５１Ｇに向けて流出するので、緑側パネル４５１Ｇをさらに一層効果的に冷却できる。
【００４３】
［実施形態の変形］
なお、本発明は前述の実施形態に限定されるものではなく、本発明の目的を達成できる範囲での変形、改良等は本発明に含まれるものである。
前述した実施形態では、緑側パネル４５１Ｇに対して、下側の端縁部４５１Ｄから上側の端縁部４５１Ｕに向けて冷却空気Ａ３２，Ｂ３２を送風する構成について説明したが、これらは、反対であってもよい。すなわち、緑側パネル４５１Ｇに対して、上側の端縁部４５１Ｕから下側の端縁部４５１Ｄに向けて冷却空気Ａ３２，Ｂ３２を送風する構成であってもよい。また、これら上下方向に冷却空気Ａ３２，Ｂ３２を送風する構成に限らず、左右方向に送風する構成であってもよい。
前記実施形態では、冷却空気が互いに対向する向きで衝突していたが、対向しない向きで衝突してもよい。
【００４４】
前記実施形態では、ダクト部６１，６２によって緑側パネル４５１Ｇに冷却空気Ａ３２，Ｂ３２を導いたが、これに限らない。例えば、これらダクト部６１，６２を省略して各冷却ファン７，８から直接緑側パネル４５１Ｇに冷却空気Ａ３２，Ｂ３２を送風するように構成してもよい。
前記実施形態では、緑側パネル４５１Ｇの光入射面を冷却する構成としたが、光出射面を冷却する構成または光入射面、光出射面双方を冷却する構成であってもよい。
前記実施形態では、緑側パネル４５１Ｇを冷却対象の光学素子として説明したが、冷却対象は、これに限らない。例えば、赤側パネル４５１Ｒ、青側パネル４５１Ｂ、入射側偏光板４５２、出射側偏光板４５３等を冷却対象としてもよい。
【００４５】
前記実施形態では、透過型の液晶パネルを用いていたが、反射型の液晶パネルを用いてもよい。
前記実施形態では、光学素子として液晶パネルを備えたプロジェクター１を例示したが、入射光束を変調する光学素子であれば、他の構成の光学素子を採用してもよい。例えば、マイクロミラーを用いたデバイスなど、液晶以外の光学素子を用いたプロジェクターにも、本発明を適用することも可能である。
【００４６】
前記実施形態では、投射面に対する画像光の投射方向と、当該画像光に係る画像の観察方向とが略同じであるフロントタイプのプロジェクター１を例示したが、本発明はこれに限らず、投射方向と観察方向とがそれぞれ反対方向となるリアタイプのプロジェクターにも本発明を適用できる。
【産業上の利用可能性】
【００４７】
本発明は、プレゼンテーションやホームシアターに用いられるプロジェクターに利用できる。
【符号の説明】
【００４８】
１…プロジェクター、５…冷却装置、７…第１冷却ファン（冷却ファン）、８…第２冷却ファン（冷却ファン）、６０Ｇ…緑側冷却用流出口（流出口）、６１…第１ダクト部（ダクト）、６１Ａ，６１Ｂ…一端、６１Ｂ，６２Ｂ…他端、６２…第２ダクト部（ダクト）、４５１Ｇ…緑色光側の液晶パネル（光学素子）、４５１Ｄ…端縁部（一方の端縁部）、４５１Ｕ…端縁部（他方の端縁部）、６０１Ｇ，６０２Ｇ…流出口、Ａｘ…中心線、Ｃ…交差位置、Ｄ１，Ｄ２…送風方向、Ｐ…中心位置（光学素子表面の中心位置）。
【図１】
0005949962.tif 000002
【図２】
0005949962.tif 000003
【図３】
0005949962.tif 000004
【図４】
0005949962.tif 000005